(57)【要約】【課題】スクリーン面の外観を好適にし、画面上に表示される映像のコントラストの低下を抑制することができる反射スクリーン、映像表示システムを提供する。【解決手段】反射スクリーン１０は、レンズ面１１１ａ及び非レンズ面１１１ｂを備える単位レンズ１１１が一方の面に複数配列されてフレネルレンズを形成するフレネルレンズ層１１と、前記フレネルレンズ層のレンズ面に形成され、光を反射する反射部１２とを備え、前記単位レンズは、凸形状であり、前記単位レンズの配列方向に平行であってスクリーン面に直交する方向Ｙに平行な断面における断面形状が略三角形状であり、前記レンズ面及び前記非レンズ面は、前記単位レンズの略三角形状の頂部Ｔを挟んで前記配列方向において対向し、前記頂部は、前記単位レンズ間の谷底となる部分Ｖからの寸法Ｈが１５μｍ以上であること、を特徴とする。【選択図】図２
2013152288.tif 000002
【特許請求の範囲】
【請求項１】
レンズ面及び非レンズ面を備える単位レンズが一方の面に複数配列されてフレネルレンズを形成するフレネルレンズ層と、
前記フレネルレンズ層のレンズ面に形成され、光を反射する反射部とを備え、
前記単位レンズは、凸形状であり、前記単位レンズの配列方向に平行であってスクリーン面に直交する方向に平行な断面における断面形状が略三角形状であり、
前記レンズ面及び前記非レンズ面は、前記単位レンズの略三角形状の頂部を挟んで前記配列方向において対向し、
前記頂部から前記単位レンズ間の谷底となる部分までの寸法が１５μｍ以上であること、
を特徴とする反射スクリーン。
【請求項２】
請求項１に記載の反射スクリーンにおいて、
前記単位レンズは、その配列方向において配列間隔が変化していること、
を特徴とする反射スクリーン。
【請求項３】
請求項２に記載の反射スクリーンにおいて、
前記単位レンズは、その配列間隔が前記フレネルレンズの光学的中心から離れるにつれて狭くなること、
を特徴とする反射スクリーン。
【請求項４】
請求項１から請求項３までのいずれか１項に記載の反射スクリーンにおいて、
前記頂部から前記単位レンズ間の谷底となる部分までの寸法は、一定であること、
を特徴とする反射スクリーン。
【請求項５】
請求項１から請求項４までのいずれか１項に記載の反射スクリーンにおいて、
前記フレネルレンズ層のフレネルレンズは、サーキュラーフレネルレンズ形状であること、
を特徴とする反射スクリーン。
【請求項６】
請求項１から請求項４までのいずれか１項に記載の反射スクリーンにおいて、
前記フレネルレンズ層のフレネルレンズは、リニアフレネルレンズ形状であること、
を特徴とする反射スクリーン。
【請求項７】
請求項１から請求項６までのいずれか１項に記載の反射スクリーンと、
前記反射スクリーンに映像光を投射する映像源と、
を備える映像表示システム。
【発明の詳細な説明】
【技術分野】
【０００１】
本発明は、単位レンズが複数配列されたフレネルレンズを備える反射スクリーン、映像表示システムに関するものである。
【背景技術】
【０００２】
近年、短焦点型の映像投射装置によって投射された映像光を良好に表示するために、単位レンズが複数配列されたフレネルレンズ形状を有するレンズ層に反射部を形成した反射スクリーン等が様々に開発されている（例えば、特許文献１）。
このような反射スクリーンは、レンズ層に複数の単位レンズが配列しており、単位レンズにレンズ面及び非レンズ面が形成されているが、フレネルレンズ形状の形成過程において、フレネルレンズ形状を形成する成形型（金型）に存在する微細なバリや加工跡によって、非レンズ面等に微細な凹凸形状が形成される場合があり、その凹凸形状に外光が反射することにより、反射スクリーンの外観不良を生じさせる問題となっていた。また、この場合において、外光は非レンズ面の凹凸形状に入射して迷光となって、画面上に表示される映像のコントラストを低下させる問題にもなっていた。
【先行技術文献】
【特許文献】
【０００３】
【特許文献１】特開２００６−３３０１４５号公報
【発明の概要】
【発明が解決しようとする課題】
【０００４】
本発明の課題は、スクリーン面の外観を好適にし、画面上に表示される映像のコントラストの低下を抑制することができる反射スクリーン、映像表示システムを提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
第１の発明は、レンズ面（１１１ａ）及び非レンズ面（１１１ｂ）を備える単位レンズ（１１１）が一方の面に複数配列されてフレネルレンズを形成するフレネルレンズ層（１１）と、前記フレネルレンズ層のレンズ面に形成され、光を反射する反射部（１２）とを備え、前記単位レンズは、凸形状であり、前記単位レンズの配列方向に平行であってスクリーン面に直交する方向（Ｙ方向）に平行な断面における断面形状が略三角形状であり、前記レンズ面及び前記非レンズ面は、前記単位レンズの略三角形状の頂部（Ｔ）を挟んで前記配列方向において対向し、前記頂部から前記単位レンズ間の谷底となる部分（Ｖ）までの寸法（Ｈ）が１５μｍ以上であること、を特徴とする反射スクリーン（１０）である。
第２の発明は、第１の発明に記載の反射スクリーン（１０）において、前記単位レンズは、その配列方向において配列間隔（Ｐ）が変化していること、を特徴とする反射スクリーンである。
第３の発明は、第２の発明に記載の反射スクリーン（１０）において、前記単位レンズは、その配列間隔が前記フレネルレンズの光学的中心（Ｆ）から離れるにつれて狭くなること、を特徴とする反射スクリーンである。
第４の発明は、第１の発明から第３の発明までのいずれかの発明に記載の反射スクリーン（１０）において、前記頂部から前記単位レンズ間の谷底となる部分までの寸法は、一定であること、を特徴とする反射スクリーンである。
第５の発明は、第１の発明から第４の発明までのいずれかの発明に記載の反射スクリーン（１０）において、前記フレネルレンズ層のフレネルレンズは、サーキュラーフレネルレンズ形状であること、を特徴とする反射スクリーンである。
第６の発明は、第１の発明から第４の発明までのいずれかの発明に記載の反射スクリーンにおいて、前記フレネルレンズ層のフレネルレンズは、リニアフレネルレンズ形状であること、を特徴とする反射スクリーンである。
第７の発明は、第１の発明から第６の発明までのいずれかの発明に記載の反射スクリーン（１０）と、前記反射スクリーンに映像光（Ｌ）を投射する映像源（３０）と、を備える映像表示システム（１）である。
【発明の効果】
【０００７】
本発明によれば、レンズ層の全体に形成される単位レンズの数を減少させることができ、成形時の金型のバリ等による非レンズ面に生じる凹凸形状による反射スクリーンの外観不良を抑制することができる。また、それに伴い、非レンズ面からの迷光によって、画面上に表示される映像のコントラストの低下も抑制することができる。
【図面の簡単な説明】
【０００８】
【図１】第１実施形態の反射スクリーン１０を備える映像表示システム１を示す図である。
【図２】第１実施形態の反射スクリーン１０の層構成を説明する図である。
【図３】第２実施形態の反射スクリーン１０−２の層構成を説明する図である。
【図４】変形形態の反射スクリーン１０−３の層構成を説明する図である。
【発明を実施するための形態】
【０００９】
（第１実施形態）
以下、図面等を参照して、本発明の第１実施形態について説明する。
なお、図１を含め、以下に示す各図は、模式的に示した図であり、各部の大きさ、形状は、理解を容易にするために、適宜誇張している。従って、各光線の入射角度等に関して、実際の角度とは異なる場合がある。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、シート、板、フィルムの文言は、適宜置き換えることができるものとする。例えば、レンズシートは、レンズフィルムとしてもよいし、レンズ板としてもよい。
さらに、本明細書中に記載する各部材の寸法等の数値及び材料名等は、実施形態としての一例であり、これに限定されるものではなく、適宜選択して使用してよい。
【００１０】
図１は、第１実施形態の反射スクリーン１０を備える映像表示システム１を示す図である。図１（ａ）は、この映像表示システム１の斜視図であり、図１（ｂ）は、この映像表示システムの側面図である。
なお、実施形態及び図面では、観察者Ｏが反射スクリーン１０に対向して位置した状態、すなわち反射スクリーン１０の使用状態を基準に、左右方向Ｘ、奥行方向Ｙ、鉛直方向Ｚとする。
【００１１】
図１（ａ）に示すように、映像表示システム１は、反射スクリーン１０、映像源３０等を備える。本実施形態では、反射スクリーン１０が映像源３０から投影された映像光Ｌを反射して、その画面上に映像を表示する一般的な映像表示システムを例に挙げて説明するが、これに限られない。例えば、映像表示システム１は、映像光Ｌを映像源３０から投射するフロントプロジェクションテレビシステム等としてもよいし、反射スクリーン１０、映像源３０、反射スクリーン１０の観察画面上の位置を検出する位置検出部、パーソナルコンピュータ等を備えたインタラクティブボードシステムとしてもよい。
図１（ｂ）に示すように、映像源３０は、映像光Ｌを反射スクリーン１０へ投影する映像投射装置であり、汎用のプロジェクタ等を用いることができる。映像源３０は、反射スクリーン１０の使用状態におけるスクリーンの画面よりも下側（Ｚ２側）であって、奥行方向Ｙにおける位置が従来のプロジェクタに比べて大幅に近い位置から映像光Ｌを反射スクリーン１０に投射することができる短焦点型の汎用プロジェクタである。
【００１２】
反射スクリーン１０は、映像源３０が投射した映像光Ｌを観察者Ｏ側（Ｙ２側）へ向けて反射し、映像を表示する矩形状のスクリーンである。使用状態において、この反射スクリーン１０の観察画面は平面状であり、Ｙ２側から見て、長辺方向が左右方向Ｘに平行となる略矩形状である。
反射スクリーン１０は、その背面（Ｙ１側の面）に、平板状の支持板５０が、粘着材等からなる不図示の接合層を介して設けられており、この支持板５０により、その平面性を維持している。本実施形態の支持板５０は、光透過性を有していない。
【００１３】
図２は、第１実施形態の反射スクリーン１０の層構成を説明する図である。
図２（ａ）は、図１（ａ）のＩａ−Ｉａにおける断面図である。
図２（ｂ）は、図２（ａ）の拡大図である。
図２（ｃ）は、図２（ｂ）のレンズ層１１をサーキュラーフレネルレンズのある側から見た図である。
なお、図２では、理解を容易にするために、支持板５０等を適宜省略し、図２（ｃ）では、反射部１２及び光吸収層１３も省略している。さらに、図２（ｂ）では、理解を容易にするために、単位レンズ１１１の配列ピッチＰ、角度αが一定であるように示しているが、実際には、図２（ａ）に示すように、配列ピッチＰ、角度αは、単位レンズ１１１の配列方向に沿って所定の角度範囲内、寸法範囲内でしだいに変化している。
【００１４】
図２（ａ）及び図２（ｂ）に示すように、反射スクリーン１０は、その観察者Ｏ側（Ｙ２側）から順に、表面機能層１５、基材層１４、レンズ層１１（フレネルレンズ層）、反射部１２、光吸収層１３等を備えている。本実施形態の反射スクリーン１０は、例えば、画面サイズが対角８０インチサイズである。
【００１５】
基材層１４は、この反射スクリーン１０の基材となる透明又は半透明のシート状の部材である。基材層１４の観察者Ｏ側（Ｙ２側）には、表面機能層１５が一体に形成され、背面側（Ｙ１側）には、レンズ層１１が一体に形成されている。
この基材層１４としては、例えば、厚さが１００〜２００μｍであるＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、アクリル系樹脂、ＴＡＣ（トリアセチルセルロース）樹脂等の樹脂製のシート状部材を用いることができる。
【００１６】
また、基材層１４は、所定の透過率とするために、グレー等の染料や顔料等を含有することにより着色が施されていてもよいし、視野角を広げるために、拡散材を含有していてもよいし、顔料及び拡散材等を含有する層としてもよい。さらに、基材層１４は、単層ではなく、複数の層が一体に積層された形態としてもよく、例えば、上述のような拡散材を含有する層と着色された層等が一体に積層された形態としてもよい。
本実施形態の基材層１４は、厚さ２００μｍのＭＢＳ樹脂製であり、拡散材を含有するシート状の部材（拡散シート）を用いている。
【００１７】
レンズ層１１は、基材層１４の背面側（Ｙ１側）に設けられた光透過性を有する層である。レンズ層１１は、その背面（Ｙ１側の面）にサーキュラーフレネルレンズ形状が形成されている。
図２（ｃ）に示すように、本実施形態のレンズ層１１のサーキュラーフレネルレンズ形状は、反射スクリーン１０の表示領域外に位置する点Ｆを中心としてスクリーン面に沿って複数の単位レンズ１１１が同心円状に隣接して配列されている。すなわち、レンズ層１１のサーキュラーフレネルレンズ形状は、反射スクリーン１０の表示領域外に位置する点Ｆを光学的中心（フレネルセンター）とする、いわゆるオフセット構造により形成される。
そのため、レンズ層１１は、その背面側（Ｙ１側）から見たときに、真円の円弧形状の単位レンズ１１１が複数配列されている。なお、レンズ層１１は、これに限らず、例えば楕円等の円弧形状の単位レンズが複数配列されていてもよく、適宜選択してもよい。
【００１８】
レンズ層１１は、紫外線硬化型樹脂から形成されている。なお、レンズ層１１は、電子線硬化型樹脂等の他の電離放射線硬化型樹脂から形成してもよい。
レンズ層１１は、例えば、紫外線成形法等によって形成される。レンズ層１１（単位レンズ１１１）を紫外線成形法によって形成することにより、形状精度が高い単位レンズ１１１を形成することができる。なお、レンズ層１１の形成方法は、適宜自由に選択してよく、この限りではない。
【００１９】
図２（ａ）及び図２（ｂ）に示すように、単位レンズ１１１は、その配列方向に平行であってスクリーン面に直交する方向（奥行方向Ｙ）に平行な面（ＹＺ平面）における断面形状が、三角形状である。また、単位レンズ１１１は、フレネルレンズ形状のレンズ面であるレンズ面１１１ａと、非レンズ面１１１ｂとが、三角形状の頂部Ｔを挟んで単位レンズ１１１の配列方向において対向する。本実施形態の単位レンズ１１１は、レンズ層１１の背面側（Ｙ１側）に凸形状となる。ここで、スクリーン面とは、この反射スクリーン１０において、スクリーン全体として見たときにおける、反射スクリーン１０の平面方向となる面（ＸＺ平面）を示すものであり、本明細書中及び特許請求の範囲においても同一の定義として用いている。この反射スクリーン１０のスクリーン面は、反射スクリーン１０の観察画面に平行である。
【００２０】
単位レンズ１１１は、反射スクリーン１０の使用状態において、レンズ面１１１ａが非レンズ面１１１ｂよりも上側（Ｚ１側）に位置する。
単位レンズ１１１は、図２（ｂ）に示すように、レンズ面１１１ａがスクリーン面に平行な面（ＸＺ平面）となす角度がαであり、非レンズ面１１１ｂがスクリーン面に平行な面（ＸＺ平面）となす角度がβ（β＞α）である。
また、単位レンズ１１１は、その配列ピッチがＰである。単位レンズ１１１は、図２（ａ）に示すように、フレネルレンズの光学的中心Ｆから離れるにつれて、その配列ピッチＰが小さくなるように形成されている。
【００２１】
単位レンズ１１１は、レンズ高さＨが一定である。ここで、レンズ高さＨとは、反射スクリーン１０の厚み方向における単位レンズ１１１の三角形状の頂点Ｔから各単位レンズ１１１間の谷部分Ｖとなる点までの寸法をいう。単位レンズ１１１のレンズ高さＨは、１５μｍ以上が好適である。レンズ高さＨを１５μｍ以上にすることで、配列ピッチＰが大きくなり、レンズ層１１の全体に形成される単位レンズ１１１の数を減少させることができ、単位レンズ１１１の形成も容易になる。
なお、単位レンズ１１１の配列ピッチＰやレンズ高さＨ、角度α、角度βは、映像光を投影する映像源３０（プロジェクタ）の画素（ピクセル）の大きさや、映像源３０の映像光の投射角度（スクリーン面に対する映像光の入射角度）等に応じて、適宜変更可能である。
【００２２】
一例として、本実施形態の各単位レンズ１１１は、レンズ高さＨが４０μｍで一定であり、単位レンズ１１１の角度αが７〜２５°の範囲内で配列方向に沿って光学的中心Ｆに近づくにしたがって小さくなるように連続的に変化している。また、単位レンズ１１１の角度βは、９０°である。これにより、単位レンズ１１１の配列ピッチＰは、８６〜３２６μｍの範囲内で配列方向に沿って光学的中心Ｆから離れるしたがって狭くなるように連続的に変化する。
また、本実施形態の単位レンズ１１１（レンズ層１１）は、ウレタンアクリレート樹脂製であり、その屈折率は、１．５５である。
【００２３】
反射部１２は、光を反射する作用を有し、レンズ層１１の背面側（Ｙ１側）のレンズ面１１１ａ上に少なくとも形成されている。反射部１２は、光反射性材料、例えば、高い反射率を得ることができる銀やアルミニウムを蒸着させることによって形成される。反射部１２は、例えば０．０５〜０．１５μｍの膜厚で形成される。ここで、反射部１２は、銀の蒸着であれば９０〜９５％、アルミニウムの蒸着であれば８０〜９０％の反射率を得ることができる。本実施形態では、反射部１２は、銀ほどの反射率を有さないが、使用に十分な反射率を有し、銀よりも低コストであるアルミニウムの蒸着により形成される。
なお、反射部１２は、明るい映像を表示するために、その反射率が４０％以上とすることが好ましく、７０％以上とすることがさらに好ましい。
【００２４】
光吸収層１３は、光を吸収する作用を有する層であり、レンズ層１１の背面側（Ｙ１側）に、レンズ面１１１ａ上の反射部１２と、非レンズ面１１１ｂとを被覆するように形成される。この光吸収層１３は、黒色等の暗色系の塗料、黒色等の暗色系のインキ、暗色系の顔料や染料、カーボン粒子等を含有する紫外線硬化型樹脂や熱硬化型樹脂等により形成される。
本実施形態の光吸収層１３は、図２（ａ）及び図２（ｂ）に示すように、レンズ層１１の単位レンズ１１１間の谷部分を充填するように形成されているが、これに限らず、例えば、単位レンズ１１１及び反射部１２の凹凸形状に沿って所定の厚さで形成されてもよい。このとき、十分な光吸収作用を有するならば、光吸収層１３の厚さは一定でなくともよい。
【００２５】
表面機能層１５は、基材層１４の観察者Ｏ側（Ｙ２側）に設けられる層である。この表面機能層１５は、反射防止機能や防眩機能、紫外線吸収機能、防汚機能や帯電防止機能等、適宜必要な機能を１つ又は複数選択して設けることができる。
この表面機能層１５は、基材層１４とは別層であって不図示の粘着材等により基材層１４に接合される形態としてもよいし、基材層１４の観察者Ｏ側（Ｙ２側）の面に直接形成してもよい。
本実施形態の表面機能層１５は、防眩機能及びハードコート機能を有しており、基材層１４の観察者Ｏ側（Ｙ２側）の表面に、ハードコート機能を有する電離放射線硬化型樹脂（例えば、ウレタンアクリレート等）を膜厚２０μｍ程度で塗布して硬化させることにより、形成されている。
【００２６】
次に、図２（ｂ）を参照しながら、本実施形態の反射スクリーン１０へ入射する映像光及び外光の様子を説明する。なお、図２（ｂ）では、理解を容易にするために、表面機能層１５と基材層１４とレンズ層１１とは、同じ屈折率であるものとして示している。
映像源３０から投影された映像光Ｌ１は、反射スクリーン１０の下側（Ｚ２側）から入射し（図１（ａ）参照）、表面機能層１５及び基材層１４を透過してレンズ層１１の単位レンズ１１１へ入射する。そして、映像光Ｌ１は、レンズ面１１１ａに入射して反射部１２によって反射され、観察可能な光線として観察者Ｏ側（Ｙ２側）へ向かう。ここで、角度βが、反射スクリーン１０の鉛直方向Ｚの各点における映像光Ｌの入射角度よりも大きく、かつ、映像光Ｌが反射スクリーン１０の下側Ｚ２から投射されるため、非レンズ面１１１ｂには、映像光Ｌ１が入射しない。
【００２７】
一方、照明光等の不要な外光は、主として反射スクリーン１０の上側（Ｚ１側）から入射し、表面機能層１５及び基材層１４を透過してレンズ層１１の単位レンズ１１１へ入射する。そして、一部の外光は、外光Ｇ２のように、レンズ面１１１ａで反射して、反射スクリーン１０の下側（Ｚ２側）であって観察者Ｏの視野角範囲外へ向かうので、観察者Ｏ側（Ｙ２側）には直接届かない。
また、その他の外光は、外光Ｇ１のように、非レンズ面１１１ｂに入射して大部分は光吸収層１３に吸収される。従って、反射スクリーン１０は、上述のような光吸収層１３による外光吸収作用や、反射部１２による観察者Ｏの観察角度外への外光反射作用により、映像のコントラストを上げることができる。
【００２８】
ここで、フレネルレンズ形状の形成過程において、フレネルレンズ形状を形成する成形型（金型）に存在する金型作成時に生じる微細なバリや加工跡によって、非レンズ面１１１ｂ等には、微細な凹凸形状が形成される場合がある。この場合、外光Ｇ１は、非レンズ面１１１ｂの凹凸形状に入射して迷光となって、その一部が観察可能な光線として観察者Ｏ側（Ｙ２側）に届いてしまう。また、反射部１２の形成過程において、非レンズ面１１１ｂに光反射性材料が蒸着される場合があるが、この場合、外光Ｇ１による迷光は、著しくなり、その一部がより強い観察可能な光線として観察者Ｏ側（Ｙ２側）に届いてしまう場合がある。
このような場合においても、本実施形態の反射スクリーン１０は、レンズ高さＨを４０μｍとすることによって、配列ピッチＰを大きくし、レンズ層１１の全体に形成される単位レンズ１１１の数を減少させているので、非レンズ面１１１ｂの数も減少することとなり、観察者Ｏ側（Ｙ２側）に届く迷光の量を抑制することができ、画面上に表示される映像のコントラストの低下を抑制することができる。
【００２９】
本実施形態によれば、単位レンズ１１１のレンズ高さＨが４０μｍに形成されているので、単位レンズ１１１の配列ピッチＰが従来の寸法より大きくなり、レンズ層１１の全体に形成される単位レンズ１１１の数を減少させることができ、成形時の金型のバリ等による非レンズ面に生じる凹凸形状による反射スクリーンの外観不良を抑制することができる。また、単位レンズ１１１の数の減少に伴い、成形型の製造が容易になり、反射スクリーン１０の製造を容易にすることができる。
また、上述したように、非レンズ面１１１ｂ等に成形型のバリ等による凹凸形状がある場合において、観察者Ｏ側（Ｙ２側）に届く迷光の量を抑制することができ、画面上に表示される映像のコントラストの低下を抑制することができる。
さらに、反射部１２を形成するための蒸着工程において、光反射性材料を非レンズ面１１１ｂに蒸着するのを抑制しつつ、レンズ面１１１ａに蒸着させることができる。
【００３０】
（第２実施形態）
次に、本発明の第２実施形態について説明する。
図３は、第２実施形態の反射スクリーンの層構成を説明する図である。
なお、以下の説明及び図面において、前述した第１実施形態と同様の機能を果たす部分には、同一の符号又は末尾に同一の符号を付して、重複する説明を適宜省略する。
第２実施形態の反射スクリーン１０−２は、レンズ層１１−２の単位レンズ１１１−２が配列ピッチＰを一定にし、レンズ高さＨを単位レンズ１１１−２の配列方向において変化させて形成されている点で第１実施形態の反射スクリーン１０と相違する。
単位レンズ１１１−２は、その配列ピッチＰが２００μｍで一定であり、単位レンズ１１１の角度αが７〜２５°の範囲内で配列方向に沿って光学的中心Ｆに近づくにしたがって小さくなるように連続的に変化している。また、単位レンズ１１１のレンズ高さＨは、２４〜９３μｍの範囲内で配列方向に沿って光学的中心Ｆから離れるしたがって大きくなるように連続的に変化する。ここで、レンズ高さＨは、１５μｍ以上が好適である。
以上より、本実施形態によれば、反射スクリーン１０−２は、第１実施形態の反射スクリーン１０と同様の効果を得ることができる。
【００３１】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３２】
（変形形態）
図４は、本発明の反射スクリーンの変形形態を示す図である。なお、図４では、理解を容易にするために、単位レンズ１１１−３の配列ピッチＰ、レンズ高さＨ、角度αが一定であるように示しているが、実際には、角度αと、配列ピッチＰ又はレンズ高さＨとは、単位レンズ１１１−３の配列方向に沿って所定の角度範囲内、寸法範囲内でしだいに変化している。
（１）各実施形態において、レンズ層１１は、サーキュラーフレネルレンズ形状に形成する例を示したがこれに限定されない。例えば、リニアフレネルレンズ形状に形成することも可能である。リニアフレネルレンズ形状に形成することで、レンズ層１１の連続成形が可能となり、反射スクリーン１０の量産性を向上することができる。
（２）各実施形態において、反射部１２は、蒸着によって形成された例を示したがこれに限定されない。例えば、白色や銀色の塗料をスプレー塗布することにより形成することも可能である。
（３）各実施形態において、単位レンズ１１１は、断面形状が三角形状である例を示したがこれに限定されない。例えば、図４に示すように、単位レンズ１１１−３は、三角形状の頂部が微小な平面Ａとなるような略三角形状（楔形状）であってもよく、また、頂部が曲面となっていてもよい。
【符号の説明】
【００３３】
１  映像表示システム
１０  反射スクリーン
１１  レンズ層
１１１  単位レンズ
１１１ａ  レンズ面
１１１ｂ  非レンズ面
１２  反射部
１３  光吸収層
１４  基材層
１５  表面機能層
Ｆ  光学的中心（フレネルセンター）
【図１】
2013152288.tif 000003
【図２】
2013152288.tif 000004
【図３】
2013152288.tif 000005
【図４】
2013152288.tif 000006